(57)【特許請求の範囲】
【請求項１】
水平偏向コイルに直列に接続されるＳ字補正コンデンサの両端間にスイッチング素子を設け、該スイッチング素子を水平帰線期間中にオンして前記Ｓ字補正コンデンサの充電電荷を放電するようにすると共に前記スイッチング素子のオン時間を制御して水平周期のリニアリティ補正を行うようにしたことを特徴とする水平偏向回路。
【請求項２】
第１のスイッチング素子と第１のダンパーダイオードと第１の共振コンデンサとを並列接続した第１の並列回路の一端を接地し、
前記第１の並列回路の他端を第２のスイッチング素子と第２のダンパーダイオードと第２の共振コンデンサとを並列接続した第２の並列回路の一端に接続すると共に前記第１の並列回路の他端をフライバックトランスの１次巻線を介して直流電源端子に接続し、
前記第２の並列回路の他端を水平偏向コイル及びＳ字補正コンデンサの直列回路を介して接地し、
前記第１のスイッチング素子を水平ドライブ信号でスイッチングすると共に前記第２のスイッチング素子のオフ開始時期及びオフ期間を制御するスイッチング素子制御手段を設けた水平偏向回路において、
前記Ｓ字補正コンデンサの両端間にスイッチング素子を設け、前記スイッチング素子を水平帰線期間中にオンして前記Ｓ字補正コンデンサの充電電荷を放電するようにすると共に前記スイッチング素子のオン時間を制御して、水平周期のリニアリティ補正を行うようにしたことを特徴とする水平偏向回路。
【発明の詳細な説明】
【０００１】
【発明の属する技術分野】
本発明は陰極線管（ＣＲＴ）を用いたテレビジョンディスプレイ装置等に用いて好適な水平偏向回路に関する。
【０００２】
【従来の技術】
一般に、陰極線管（ＣＲＴ）を使用したテレビジョン受像機に用いられる水平偏向回路は図７に示す如きもので、スイッチング素子を構成する水平出力ｎｐｎ形トランジスタ１のコレクタ−エミッタ間に並列にダンパーダイオード２、共振コンデンサ３を接続すると共にこの水平出力トランジスタ１のコレクタ−エミッタ間に並列に水平偏向コイル４及びＳ字補正コンデンサ５の直列回路を接続し、この水平出力トランジスタ１のコレクタをフライバックトランス６の１次巻線を介して直流電源７の正極に接続し、この水平出力トランジスタ１のエミッタを直流電源７の負極に接続したものである。
【０００３】
この、図７に示す如き、水平偏向回路は水平走査区間では、水平出力トランジスタ１又はダンパーダイオード２が導通状態となっているので、その等価回路は図８に示す如くなる。この図８より明らかな如く、水平走査区間では水平偏向電流はＳ字補正コンデンサ５と水平偏向コイル４との直列共振によって維持されている。
【０００４】
しかし、このときの水平偏向コイル４、水平出力トランジスタ１、ダンパーダイオード２等の回路素子は電力を消費するので水平偏向電流はその振幅を水平走査区間のうちに僅かずつ減少して、水平走査区間の終了時の水平偏向電流振幅は水平走査区間開始時の水平偏向電流振幅よりも小さな値となってしまう。
【０００５】
また水平偏向コイル４には内部抵抗が存在するため、水平偏向コイル４の両端電圧は、この水平偏向電流とこの内部抵抗との乗算分だけ減少する。このため、水平偏向電流が増加するに従って電流の変化分は小さくなってしまう。
【０００６】
一般に画像表示装置は画面に向かって左側から右側に水平走査しているので、これをＣＲＴ管面の画像で見ると、画像の右側が縮んで見えるので「右縮み」といわれている。
【０００７】
この右縮みを補正するために、多くのテレビジョン受像機、コンピュータディスプレイ等では水平リニアリティコイル（又はトランス）と呼ばれる過飽和リアクタを用いている。この水平リニアリティコイル（又はトランス）はそのコアが磁石となされており、しかも使用する電流範囲でコアの磁性体が飽和するように作られている。
【０００８】
この為、この水平リニアリティコイル（又はトランス）は電流を流す方向によりインダクタンスが異なるという性質を持つ。この水平リニアリティコイル（又はトランス）を水平偏向コイル４に直列に、水平走査の開始時に最もインダクタンスが大きくなるように接続すると、水平走査の前半には見かけ上水平偏向コイル４のインピーダンスが大きく、これによって水平偏向電流を制限し、水平走査の後半では水平偏向電流は水平偏向回路の電力消費によってその電力を減らしているが、この水平リニアリティコイル（又はトランス）のインダクタンスが減少しているので水平偏向コイル４の見かけ上のインピーダンスが小さくなっておりこの電流振幅を維持することができる。
【０００９】
【発明が解決しようとする課題】
斯る水平リニアリティコイル（又はトランス）による補正では、その効果がこの水平リニアリティコイル（又はトランス）に用いる磁性体の材質と磁石の強さで決まっており、その電流とインダクタンスの関係が多かれ少なかれ急峻に変化する性質があり、補正効果もそれに従ってリニアリティが急激に変化する部分を持つ傾向にあり、理想的な補正効果が得られにくい不都合があった。
【００１０】
なおかつ、画面の上下部と中央部とでは偏向電流量が違うことにより補正量も変わってくるため、画面左右のピンクッションアンバランス等が生じる結果なっている。
【００１１】
この水平リニアリティコイル（又はトランス）による補正では、補正量を垂直走査周期で変化させピンクッションアンバランス等の問題を解決しているが、補正特性を調整することはできない。
【００１２】
従って、この水平リニアリティコイル（又はトランス）を使用して補正するものにおいては、受像管、水平偏向コイル４のばらつきなどにより水平偏向の中心と画面の中心位置が合わないときは、理想的な補正特性が得られないため、これを合わせるために新たに水平センタリング回路が必要となっていた。
【００１３】
更に、水平リニアリティコイル（又はトランス）は水平偏向コイル４に直列に接続して用いるので、その分、この水平偏向コイル４のインピーダンスを小さく設定せざるをえず水平偏向電流の振幅が大きくなってしまうという不都合があった。
【００１４】
本発明は斯る点に鑑み、水平リニアリティの補正量を調整できるようにすると共に水平偏向電流振幅を小さく抑えることができるようにすることを目的とする。
【００１５】
【課題を解決するための手段】
本発明水平偏向回路は、水平偏向コイルに直列に接続されるＳ字補正コンデンサの両端間にスイッチング素子を設け、このスイッチング素子を水平帰線期間中にオンしてこのＳ字補正コンデンサの充電電荷を放電するようにすると共にこのスイッチング素子のオン時間を制御して、水平周期のリニアリティ補正を行うようにしたものである。
【００１６】
斯る本発明によればスイッチング素子のオン時間を制御して、水平リニアリティの補正量を可変することができるので、水平偏向電流の振幅が変わっても適正な水平リニアリティの補正量を容易に得ることができる。
【００１７】
また本発明によれば、この水平リニアリティ補正のために、この水平偏向コイルに直列に挿入する部品はなく、余分な電圧降下を生じないので、水平偏向コイルのインピーダンスを大きく設定し、水平偏向電流振幅を小さく抑えることができる。
【００１８】
【発明の実施の形態】
以下、図１、図２を参照して本発明水平偏向回路の実施の形態の例につき説明しよう。この図１において図７に対応する部分には同一符号を付して示す。
【００１９】
図１例はスイッチング素子を構成する水平出力ｎｐｎ形トランジスタ１のコレクタ−エミッタ間に並列にダンパーダイオード２、共振コンデンサ３を接続すると共にこの水平出力トランジスタ１のコレクタ−エミッタ間に並列に水平偏向コイル４及びＳ字補正コンデンサ５の直列回路を接続し、この水平出力トランジスタ１のコレクタをフライバックトランス６の１次巻線を介して正の直流電圧が供給される直流電源端子７ａに接続すると共にこの水平出力トランジスタ１のエミッタを接地する。
【００２０】
本例においては、偏向コイル４及びＳ字補正コンデンサ５の接続点を直流阻止用のコンデンサ１０とダイオード及びトランジスタより成る複合素子のスイッチング素子１１との直列回路を介して接地する。即ちＳ字補正コンデンサ５に並列にスイッチング素子１１を接続する。
【００２１】
またこのコンデンサ１０及びスイッチング素子１１の接続中点を高周波阻止用のチョークコイル１２を介して直流電源端子７ａに接続する。
【００２２】
本例においては、このスイッチング素子１１を図２Ａに示す如く水平走査の帰線期間中にオンする如くすると共にこのオン時間を可変（スイッチングパルスのパルス幅変調）できる如くする。
【００２３】
この図１例の水平偏向回路は従来の図７例同様の水平偏向動作を行う。この場合、Ｓ字補正コンデンサ５の両端電圧は図２Ｃに示す如く直流電源端子７ａに供給される直流電圧Ｅを中心とした正弦波形状となる。
【００２４】
また、このスイッチング素子１１とコンデンサ１０との接続点の電圧は、このコンデンサ１０により直流成分が阻止されるが、直流電源端子７ａよりの直流成分がチョークコイル１２を介して重畳されるため、図２Ｃに示す如く直流電源端子７ａに供給される直流電圧Ｅを中心とした正弦波形状となる。
【００２５】
次に本例による水平リニアリティ補正回路の動作につき説明する。このスイッチング阻止１１の制御端子１１ａに図２Ａに示す如く水平走査の水平走査期間中はこのスイッチング素子１１をオフとし、帰線期間中にこのスイッチング素子１１をオンさせるスイッチング信号を供給する。
【００２６】
水平偏向電流は水平走査期間ではＳ字補正コンデンサ５を電源として流れているので、水平偏向電流の変化率とＳ字補正コンデンサ５の両端電圧とは比例関係にある。
【００２７】
このため水平偏向電流が水平走査期間の後半で減衰しているときは、Ｓ字補正コンデンサ５の両端電圧も、この水平走査期間の後半で減少する（図２Ｂの点線参照）。
【００２８】
帰線期間中で、このスイッチング素子１１をオンさせると、このＳ字補正コンデンサ５から電流がこのスイッチング素子１１を通って流れ、このＳ字補正コンデンサ５の両端電圧が減少する。これによってこのＳ字補正コンデンサ５の両端電圧が上昇するタイミングが遅れるため、水平走査期間の前半では、このＳ字補正コンデンサ５の両端電圧が減少し、この水平走査期間の後半ではこのＳ字補正コンデンサ５の両端電圧が上昇する結果となる（図２Ｂの実線参照）。
【００２９】
このスイッチング素子１１のオン時間を長くすると、その分このＳ字補正コンデンサ５から電流がスイッチング素子１１を通って流れるため、このＳ字補正コンデンサ５の両端電圧が上昇するタイミングは更に遅くなり、補正量を多くすることができる。
【００３０】
従って、スイッチング素子１１のオン時間を垂直走査周期で変調することにより、水平リニアリティの補正量を垂直走査周期で変化させることができ、これにより左右ピンクッションアンバランス等を補正できる。
【００３１】
この場合、このスイッチング素子１１のオン時間は水平帰線期間中であるので、水平走査期間中に大きな補正量の変化はなく、従来の水平リニアリティコイルを使用したものでは避けにくかった補正量の急激な変化は起こりにくい。
【００３２】
また本例によれば、この水平リニアリティ補正のために、この水平偏向コイル４に直列に挿入する部品はなく、余分な電圧降下を生じないので、水平偏向コイル４のインピーダンスを大きく設定し、水平偏向電流を小さく抑えることができる。
【００３３】
また従来の水平リニアリティコイルを使用したものでは、水平センタリング回路が必要だったが、本例では補正特性をスイッチング素子１１のオン時間により容易に制御できるので、ビデオ信号の位相とこのスイッチング素子１１のオン時間を変えることによって、画面の中心位置を合わせることができるので、この水平センタリング回路を省略することができる。
【００３４】
また、図３は本発明の実施の形態の他の例を示す。図３例につき説明するに図１例に対応する部分には同一符号を付して示す。
【００３５】
図３の水平偏向回路は、水平出力のスイッチング素子３１とダンパーダイオード３２と共振コンデンサ３３との並列回路と、スイッチング素子２１とダンパーダイオード２２と共振コンデンサ２３との並列回路とを直列接続して、その接続点にフライバックトランス６の１次巻線を介して電源供給を行う。スイッチング素子３１の他端は接地され、スイッチング素子２１の他端には水平偏向コイル４を接続し、さらにこの水平偏向コイル４に直列にＳ字補正コンデンサ５を接続し、Ｓ字補正コンデンサ５の他端は接地する。
【００３６】
このような水平偏向回路にスイッチング素子３１，２１の両端電圧を読みとるパルス読みとり回路３７，２７と、その電圧に基づき演算してスイッチング素子２１のオン、オフを制御するスイッチング素子制御回路５０を備えている。
【００３７】
つぎに、この回路動作を図３，図４，図５を参照して説明する。
図３において、水平ドライブ信号が水平出力のスイッチング素子３１に入力し、水平出力のスイッチング素子３１をオンさせると同時に、スイッチング素子制御回路５０も動作して、スイッチング素子２１もオンさせ、両者とも導通状態となり、水平偏向コイル４に偏向電流が流れる。一方、スイッチング素子３１はスイッチング素子２１より先にオフするが、これによってリトレース期間（水平帰線期間）がはじまる。このリトレース区間中にスイッチング素子２１をスイッチング素子制御回路５０によりオンオフ制御させる。これら一連の動作を水平偏向期間を区切り、等価回路を用いて説明する。
【００３８】
〈トレース区間ａ〉
トレース区間ａはスイッチング素子３１，２１の両方が導通している状態で、等価回路は図５Ａのようになり、従来から用いられているスイッチング素子１段の水平偏向回路と同じ形となる。この時は偏向電流、フライバックトランス電流は共に、それぞれＳ字補正コンデンサ５の両端電圧、電源電圧に応じた傾きで増加する。この時の偏向電流の波形を図４Ｄに示す。
【００３９】
〈リトレース区間の初期〉
リトレース期間に入るには、水平ドライブ信号により、まずスイッチング素子３１をオフする。この時、まだスイッチング素子２１が導通しているので等価回路は図５Ｂのようになり、共振コンデンサが２つあるだけでこれも通常の水平偏向回路と同様である。この時フライバックトランス６や水平偏向コイル４に流れていた電流は共振コンデンサ３３に流れ込み、共振コンデンサ３３の両端に電圧を生じ、それによって電流は反転動作を開始する。すなわち、共振動作をはじめ、その電圧、電流波形が図４の区間ｂとなる。
【００４０】
〈リトレース区間におけるスイッチング素子２１のオフ期間〉
リトレース区間の後半、偏向電流が０に達した後、スイッチング素子２１をオフしてもダンパーダイオード２２があるために等価回路は図５Ｂのままでなんら変化も起きないが、リトレースの前半まだ偏向電流が０に達する前にスイッチング素子２１をオフしたときの等価回路は図５Ｃのようになり、水平偏向コイル４に直列にもう一つの共振コンデンサ２３が接続されたことになる。
【００４１】
そして偏向電流が共振コンデンサ２３にも流れ込むので共振コンデンサ２３の両端にも電圧を生じるようになり、水平偏向コイル４の両端には、スイッチング素子３１の両端のパルスより大きなパルス電圧をかけることができる（図４Ａ参照）。
【００４２】
ここで、スイッチング素子１１の両端のリトレースパルス電圧のピーク値は電源電圧、リトレース時間及びトレース時間の比で一義的に決まり、一定となるので、このパルス（図４Ｂ参照）をフライバックトランス６で昇圧して、ＣＲＴの電子銃に用いる高電圧とすることができる。
【００４３】
〈リトレース区間後半〉
リトレース区間は共振コンデンサ３３，２３に流れ込んでいた電荷が全て流れ出て両端電圧が０となったときダンパーダイオードが自動的に導通して終了する（ダイオードは簡単のため理想的ダイオードとする）。
ここで、共振コンデンサ２３に流れ込む電流は共振コンデンサ３３に流れ込む電流より常に少ないので、共振コンデンサ２３の方が早く電荷がなくなり、ダンパーダイオード２２がダンパーダイオード３２より先に導通する。このために、スイッチング素子２１の両端に生じるパルスの方がスイッチング素子３１の両端に生じるパルスよりパルス幅が細くなる（図４Ｂ，Ｃの区間ｃ参照）。
【００４４】
さらに、スイッチング素子２１のオフタイミングを遅らせると、共振コンデンサ２３に流れ込む電流はさらに少なくなるので、この時スイッチング素子２１の両端のパルスは、パルス幅がさらに細くなり、パルス高も低いものとなる。つまりスイッチング素子２１のオフタイミングの位相をコントロールすることにより、水平偏向コイル４の両端にかかるリトレースパルス電圧をコントロールすることができ、結果的に偏向電流の振幅を可変することができる。
【００４５】
なお、図４の区間ｄは等価回路は区間ｂと同じものとなるので、説明は略す。
【００４６】
〈トレース区間ｅ〉
さて、こうしてダンパーダイオード２２が導通してしまうと回路は図５Ｂの等価回路の形にもどり共振コンデンサ３３の両端電圧が０となるまで通常の偏向回路と同様にリトレース動作を続け、リトレース終了と共に図５Ａの等価回路の形にもどり、トレース区間ｅに入る。このトレース区間ｅにおいては、水平偏向コイル４からダンパーダイオード３２，２２の順方向に水平偏向電流が流れる（図４Ｄ参照）。そしてこの間に、スイッチング素子３１，２１を導通状態にしておき、つぎのトレース区間ａに備える。
【００４７】
以上、水平偏向電流は上述の偏向区間ａ，ｂ，ｃ，ｄ，ｅを繰り返すことで、水平偏向コイル４は水平偏向磁界を形成する。
【００４８】
つぎに、スイッチング素子のオフタイミングを制御することにより、水平偏向電流の振幅を可変して、ピンクッション歪みや水平の画サイズ調整を行う方法について、詳細な説明を行う。
【００４９】
水平偏向電流の最大振幅（ＰＰ値）Ｉｐｐはリトレース期間の水平偏向コイルの両端にかかるリトレースパルス電圧の積分値に比例する。ところが、このリトレースパルス電圧は１２００〜２２００ボルト位あるので、これを処理可能な低電圧に分圧して、この電圧と水平偏向の振幅を表す基準電圧とを比較し、その差分を積分した上で、この積分値が０となるように、スイッチング素子のドライブ信号にフィードバックをかけて、精度高く、水平偏向電流のＩｐｐを制御しようとするものである。この図３例に示すスイッチング素子制御回路５０が一例である。
【００５０】
本例において、パルス読みとり回路３７，２７でスイッチング素子３１，２１両端にかかるリトレースパルス電圧をそれぞれ検出する。なお、この検出電圧は、コンデンサ分割等を用いて、リトレースパルス電圧を分圧したものである。この検出電圧をスイッチング素子制御回路５０に入力し、演算増幅器等の引き算器５１を用いて、スイッチング素子３１のリトレースパルス電圧（分圧値）からスイッチング素子２１のリトレースパルス電圧（分圧値）を引き算する。この差電圧と所定の水平振幅に対応する振幅コントロール電圧とを比較器５２で比較する。この振幅コントロール電圧は通常、ピンクッション歪みを補正するためのパラボラ状の電圧が加算されている。
【００５１】
そして、比較された電圧は積分器５３で積分されて直流電圧となり、スイッチング素子２１のドライブ信号の位相（オフのタイミング）調整の信号として位相調整器５４に入力される。そして位相調整器５４で形成されたタイミングパルスはドライブ波形発生器５５において、スイッチング素子２１をドライブするのに十分なドライブ信号を形成する。このようなフィードバックループにより、スイッチング素子２１はオフタイミングを制御しつつ、偏向電流を出力する。
【００５２】
以上は、オフタイミングの閉ループ制御系が安定動作の状態にある場合の動作であるが、回路構成によっては、電源投入時の立ち上がり時等の過渡期には、異なる動作をすることがあるので、注意を要する。
【００５３】
図３に示す制御系において、スイッチング素子３１のリトレースパルスの電圧波形（分圧値）からスイッチング素子２１のリトレースパルスの電圧波形（分圧値）を差し引いた面積は、偏向電流の振幅に対して、線形に変化する。そして、電源の立ち上がり時は、その差し引きの面積がある大きさに達するまでスイッチング素子２１の両端にリトレースパルスが生じないようにフィードバックループが動作する。すなわち、スイッチング素子３１の両端のリトレースパルスがある所定の波高値に達するまではスイッチング素子２１の両端にリトレースパルスは発生しないので、安定した立ち上がりとなる。
【００５４】
図３例の水平リニアリティ補正回路は水平偏向コイル４とＳ字補正コンデンサ５との接続中点を直流阻止用のコンデンサ１０及びスイッチング素子１１の直列回路を介して接地すると共に、このコンデンサ１０及びスイッチング素子１１の接続中点をチョークコイル１２を介して直流電源端子７ａに接続されたものである。この水平リニアリティ補正回路の動作は水平走査期間中にスイッチング素子１１をオフさせ、帰線期間中にスイッチング素子１１をオンさせる。
【００５５】
水平偏向電流は走査区間ではＳ字補正コンデンサ５を電源として流れているので、水平偏向電流の変化率とＳ字補正コンデンサ５の両端電圧は比例関係がある。このため偏向電流が走査区間の後半で減衰しているときは、Ｓ字補正コンデンサ５の両端電圧も走査区間の後半で減少する（図２Ｂの点線）。帰線期間中で図２Ａに示す如きスイッチング信号によりスイッチング素子１１をオンさせると、Ｓ字補正コンデンサ５から電流がスイッチング素子１１を通って流れ、その両端電圧は減少する。それによってＳ字補正コンデンサ５の両端電圧が上昇するタイミングが遅れるため、走査期間の前半では両端電圧が減少し、後半では両端電圧が上昇する結果となる（図２Ｂの実線）。
【００５６】
このスイッチング素子１１のオン時間を長くすると、その分Ｓ字補正コンデンサ５から電流がスイッチング素子１１を通って流れるため、Ｓ字補正コンデンサ５の両端電圧が上昇するタイミングはさらに遅くなり、補正量を多くすることができる。したがって、スイッチングのオン時間を垂直走査期間で変調することにより、水平リニアリティ補正量を、垂直走査周期で変化させることができる。
【００５７】
また、図３例によれば、スイッチング素子３１，２１を２つ用い、水平偏向コイル４に２ｋＶ程度の電圧が印加でき、倍速走査の水平偏向電流をノーマル走査並にすることで、消費電力削減と大幅なコストダウンを可能とした水平偏向回路を得ることができる。
【００５８】
尚、本発明による水平リニアリティ補正回路は上述例に限らず種々の変形が考えられる。例えば図６に示す如く、図１，図３例の直流阻止用コンデンサ１０を水平偏向コイル４に直列に接続するようにしても良い。
【００５９】
また、本発明は上述例に限ることなく、本発明の要旨を逸脱することなく、その他種々の構成が採り得ることは勿論である。
【００６０】
【発明の効果】
本発明によれば、スイッチング素子のオン時間を制御して、水平リニアリティの補正量を可変することができるので、水平偏向電流の振幅が変わっても適正な水平リニアリティの補正量を容易に得ることができる。
【００６１】
また本発明によれば、この水平リニアリティ補正のために、この水平偏向コイルに直列に挿入する部品はなく、余分な電圧降下を生じないので、水平偏向コイルのインピーダンスを大きく設定し、水平偏向電流を小さく抑えることができ、消費電力的、あるいはコスト的に有利である。
【００６２】
また本発明によれば水平センタリング回路を省略できるのでコスト的に有利となる。
また本発明によれば水平リニアリティの補正量の急峻な変化が従来に比し起こりにくい。
【００６３】
また請求項２の発明によれば、スイッチング素子を２つ用い、水平偏向コイルに２ｋＶ程度の電圧が印加でき、倍速の水平走査の水平偏向電流を通常の水平走査並みにすることで、消費電力の削減と大幅なコストダウンを可能とした水平偏向回路にこの水平リニアリティ補正回路を取り込んでいるので、消費電力、コスト、補正特性の面でより大きな効果がある。
【図面の簡単な説明】
【図１】本発明水平偏向回路の実施の形態の例を示す構成図である。
【図２】本発明の説明に供する線図である。
【図３】本発明の実施の形態の他の例を示す構成図である。
【図４】図３の説明に供する線図である。
【図５】図３の説明に供する等価回路図である。
【図６】本発明の要部の他の例を示す接続図である。
【図７】従来の水平偏向回路の例を示す構成図である。
【図８】図７の説明に供する等価回路図である。
【符号の説明】
１，１１，２１，３１‥‥スイッチング素子、２，２２，３２‥‥ダンパーダイオード、３，２３，３３‥‥共振コンデンサ、４‥‥水平偏向コイル、５‥‥Ｓ字補正コンデンサ、６‥‥フライバックトランス、７‥‥直流電源、７ａ‥‥直流電源端子、１０‥‥コンデンサ、１２‥‥チョークコイル、２７，３７‥‥パルス読みとり回路、５０‥‥スイッチング素子制御回路
【図１】
0003832090.tif 000002
【図２】
0003832090.tif 000003
【図３】
0003832090.tif 000004
【図４】
0003832090.tif 000005
【図５】
0003832090.tif 000006
【図６】
0003832090.tif 000007
【図７】
0003832090.tif 000008
【図８】
0003832090.tif 000009